(57)【特許請求の範囲】
【請求項１】
遊技盤の前面に、開口部が開設されたセンターケースを備え、該センターケースの後方に表示装置を配置した遊技機において、
前記表示装置は、
前記遊技盤に当該表示装置を取り付けるための取付ベースと、
該取付ベースの後側に配置され、前面に遊技演出映像を表示可能な映像表示面を形成した映像表示器と、
該映像表示器の上部を取付ベースの上部へ係合して、映像表示器を該映像表示器の下部が前方のセンターケース側へ回動可能な状態で吊り下げる吊下げ機構と、
前記映像表示器を位置決めする位置決め機構と、を備え、
前記表示装置の後方には、少なくとも映像表示器の下部を覆うカバー部材を備え、
前記取付ベースは、センターケースの開口部に連通する開口窓部をセンターケースよりも後方に開設し、該開口窓部の下縁部を前方のセンターケース寄りに配置するとともに、開口窓部の上縁部を下縁部よりも後方へ配置し、
前記吊下げ機構は、
取付ベースのうち開口窓部の上縁部よりも後方に設けられた係合受部と、
映像表示器の上部に設けられ、係合受部に係合可能な係合部と、から構成され、
前記位置決め機構は、
前記カバー部材と前記映像表示器との間に設けられ、
前記映像表示器の後面に開設され、カバー部材の上端部に対向する位置決め孔と、
前記カバー部材の上端部のうち位置決め孔に対向する箇所から突設された位置決め突起と、を備え、
該位置決め突起の先端寄りには、映像表示器の後面のうち位置決め孔の周辺部に当接可能な当接片を上方へ突設し、
前記遊技盤に取付ベースを取り付けた状態で係合部を係合受部へ係合し、この係合状態で映像表示器の下部を前方のセンターケース側へ回動させるとともに、カバー部材により映像表示器の下部を覆うと、
前記位置決め突起が前記位置決め孔に嵌合して位置決めされるとともに前記当接片が映像表示器の後面に後方から当接し、
前記映像表示器が前方のセンターケース側へ下り傾斜した姿勢で維持して取付ベースへ取り付けられて前記映像表示面を開口窓部へ臨ませるように構成したことを特徴とする遊技機。
【発明の詳細な説明】
【技術分野】
【０００１】
本発明は、遊技盤の前面にセンターケースを備え、該センターケースの後方に表示装置を配置したパチンコ遊技機等の遊技機に関する。
【背景技術】
【０００２】
従来の遊技機、例えばパチンコ遊技機においては、遊技盤に区画形成された遊技領域（遊技部）に、開口部が開設された枠体構造のセンターケースを配置し、該センターケースの後方に変動表示ゲーム等が表示される映像表示装置（表示装置）を開口部から前方へ臨ませた状態で配置している（例えば、特許文献１参照）。
【特許文献１】特開平５−３２９２５６号公報
【発明の開示】
【発明が解決しようとする課題】
【０００３】
ところで、近年では、変動表示ゲームに対する興趣を高めるために、パチンコ遊技機に大型の映像表示面を備えた表示装置を備える傾向にある。そして、映像表示面の大型化が進むに連れて、センターケースの開口部や表示装置の配置スペースを拡大して確保する必要があり、このことから、遊技領域のうち遊技球が流下する領域が狭くなってしまう。この結果、遊技者に流下する遊技球の挙動を見せ難くなり、却って遊技の興趣を高め難い。
【０００４】
そこで、本発明は、上記の事情に鑑みてなされたものであり、その目的は、映像表示器により迫力のある遊技演出を行うことができるとともに、流下する遊技球の挙動を十分に見せることができ、遊技の興趣の向上を図ることができる遊技機を提供しようとするものである。
【課題を解決するための手段】
【０００５】
本発明は、上記目的を達成するために提案されたものであり、請求項１に記載のものは、遊技盤の前面に、開口部が開設されたセンターケースを備え、該センターケースの後方に表示装置を配置した遊技機において、
前記表示装置は、
前記遊技盤に当該表示装置を取り付けるための取付ベースと、
該取付ベースの後側に配置され、前面に遊技演出映像を表示可能な映像表示面を形成した映像表示器と、
該映像表示器の上部を取付ベースの上部へ係合して、映像表示器を該映像表示器の下部が前方のセンターケース側へ回動可能な状態で吊り下げる吊下げ機構と、
前記映像表示器を位置決めする位置決め機構と、を備え、
前記表示装置の後方には、少なくとも映像表示器の下部を覆うカバー部材を備え、
前記取付ベースは、センターケースの開口部に連通する開口窓部をセンターケースよりも後方に開設し、該開口窓部の下縁部を前方のセンターケース寄りに配置するとともに、開口窓部の上縁部を下縁部よりも後方へ配置し、
前記吊下げ機構は、
取付ベースのうち開口窓部の上縁部よりも後方に設けられた係合受部と、
映像表示器の上部に設けられ、係合受部に係合可能な係合部と、から構成され、
前記位置決め機構は、
前記カバー部材と前記映像表示器との間に設けられ、
前記映像表示器の後面に開設され、カバー部材の上端部に対向する位置決め孔と、
前記カバー部材の上端部のうち位置決め孔に対向する箇所から突設された位置決め突起と、を備え、
該位置決め突起の先端寄りには、映像表示器の後面のうち位置決め孔の周辺部に当接可能な当接片を上方へ突設し、
前記遊技盤に取付ベースを取り付けた状態で係合部を係合受部へ係合し、この係合状態で映像表示器の下部を前方のセンターケース側へ回動させるとともに、カバー部材により映像表示器の下部を覆うと、
前記位置決め突起が前記位置決め孔に嵌合して位置決めされるとともに前記当接片が映像表示器の後面に後方から当接し、
前記映像表示器が前方のセンターケース側へ下り傾斜した姿勢で維持して取付ベースへ取り付けられて前記映像表示面を開口窓部へ臨ませるように構成したことを特徴とする遊技機である。
【発明の効果】
【０００９】
本発明によれば、以下のような優れた効果を奏する。
すなわち、表示装置は、遊技盤に当該表示装置を取り付けるための取付ベースと、該取付ベースの後側に配置され、前面に遊技演出映像を表示可能な映像表示面を形成した映像表示器と、該映像表示器の上部を取付ベースの上部へ係合して、映像表示器を該映像表示器の下部が前方のセンターケース側へ回動可能な状態で吊り下げる吊下げ機構と、映像表示器を位置決めする位置決め機構と、を備え、表示装置の後方には、少なくとも映像表示器の下部を覆うカバー部材を備え、取付ベースは、センターケースの開口部に連通する開口窓部をセンターケースよりも後方に開設し、該開口窓部の下縁部を前方のセンターケース寄りに配置するとともに、開口窓部の上縁部を下縁部よりも後方へ配置し、吊下げ機構は、取付ベースのうち開口窓部の上縁部よりも後方に設けられた係合受部と、映像表示器の上部に設けられ、係合受部に係合可能な係合部と、から構成され、位置決め機構は、カバー部材と映像表示器との間に設けられ、映像表示器の後面に開設され、カバー部材の上端部に対向する位置決め孔と、カバー部材の上端部のうち位置決め孔に対向する箇所から突設された位置決め突起と、を備え、該位置決め突起の先端寄りには、映像表示器の後面のうち位置決め孔の周辺部に当接可能な当接片を上方へ突設し、遊技盤に取付ベースを取り付けた状態で係合部を係合受部へ係合し、この係合状態で映像表示器の下部を前方のセンターケース側へ回動させるとともに、カバー部材により映像表示器の下部を覆うと、位置決め突起が位置決め孔に嵌合して位置決めされるとともに当接片が映像表示器の後面に後方から当接し、映像表示器が前方のセンターケース側へ下り傾斜した姿勢で維持して取付ベースへ取り付けられて映像表示面を開口窓部へ臨ませるように構成したので、映像表示器に大型化した映像表示面を備えたとしても、映像表示器の設置スペースの縦幅およびセンターケースの縦幅を映像表示面の大きさの割には狭く抑えることができる。したがって、遊技盤にセンターケース以外の構成要素、例えば入賞具等の役物を配置するための領域や遊技球が流下可能な領域を十分に確保することができる。このことから、映像表示器により迫力のある遊技演出を行うことができるとともに、流下する遊技球の挙動を十分に見せることができ、遊技の興趣の向上を図ることができる。また、遊技者は、映像表示面に表示される映像を上から見下ろすことができ、首に負担を掛けずに楽な姿勢で遊技を行い易い。したがって、遊技の興趣が低減することを抑えることができる。また、カバー部材を取り付ける動作により映像表示面の傾斜姿勢を簡単に維持することができ、遊技盤の製造効率および遊技機の製造効率を向上させることができる。
【発明を実施するための最良の形態】
【００１３】
以下、代表的な遊技機であるパチンコ遊技機を例に挙げて本発明の実施の最良の形態を図面に基づき説明する。図１はパチンコ遊技機の遊技盤の正面図、図２は遊技盤を後方から見た斜視図である。
パチンコ遊技機の遊技盤１は、図１に示すように、矩形状の遊技盤本体２を備え、該遊技盤本体２の前面にガイドレール３やサイドケース４等の区画部材を止着して遊技領域５を区画形成し、該遊技領域５内の略中央にセンターケース６を配設している。また、センターケース６の下方には、遊技球が入賞可能な始動入賞口８を備え、始動入賞口８の左右両側方には、遊技球が入賞可能な一般入賞口９と、発光により各種の装飾表示を行うサイドチャッカー１０とを配置している。さらに、始動入賞口８の下方には、大入賞口１１を配置し、該大入賞口１１の下方であって遊技領域５の下縁部には、入賞せずに流下した遊技球を回収するアウト口１２を設け、始動入賞口８、大入賞口１１やセンターケース６等の取付部分を除いた遊技領域５内に障害釘（図示せず）を植設したり、あるいは、遊技球の流下方向を変える風車（図示せず）を配置したりしている。
【００１４】
センターケース６は、大きな開口部１５が開設された枠体構造の部材であり、当該センターケース６の上部には、左右全幅に亘って庇状の鎧部１６を前方へ突設し、該鎧部１６の左右両端部から縦長な側辺部１７を前方へ突出した状態で下方へ延設し、左右の側辺部１７の下端同士を接続する状態で底部１８を配置している。そして、底部１８の上面には横長な球転動部１９を形成し、右側の側辺部１７には縦長な装飾ユニット２０を設け、左側の側辺部１７には遊技球が流下可能な球導出路（ワープ流路）２１を設けている。さらに、鎧部１６の下方には、大型の装飾部材２２を配置している。
【００１５】
また、遊技盤本体２の裏面側のうちセンターケース６の後方には、図２〜図５に示すように、遊技の進行に伴って遊技演出映像を表示可能な表示装置２４を配置し、該表示装置２４の下方には球寄せベース２５を配置し、始動入賞口８、一般入賞口９や大入賞口１１に入賞した遊技球を回収して遊技盤１の下方に配置された球排出路（図示せず）へ流下するように構成されている。さらに、球寄せベース２５の後側には、表示装置２４の一部（表示装置２４の下部）および球寄せベース２５を後方から覆う横長なカバー部材２６を軸着し、該カバー部材２６の後面側には、パチンコ遊技機における遊技進行を統括的に制御する遊技制御装置２７を配置している。
【００１６】
なお、カバー部材２６は、その一側（図４中、左側）にカバー軸受部２８を備えるとともに、他側（図４中、右側）にカバー止着部２９を備えている。そして、カバー軸受部２８を球寄せベース２５の一側（右側）に設けられた回動軸部３０に回動自在な状態で軸着して前後方向へ回動可能とし、球寄せベース２５の後方および表示装置２４の下部の後方を覆う被覆状態（図２および図３参照）と、球寄せベース２５の後方および表示装置２４の下部の後方から外れて球寄せベース２５および表示装置２４の下部を後方へ露出させる開放状態（図５参照）とに変換できるように構成されている。さらに、被覆状態でカバー止着部２９の前端部を球寄せベース２５の他側（左側）に設けられた止着受部３１に嵌脱自在な状態で止着して、カバー部材２６の被覆状態を維持できるように構成されている。
【００１７】
次に、表示装置２４について説明する。
表示装置２４は、図３および図４に示すように、遊技盤１（具体的には遊技盤本体２）の裏面側に当該表示装置２４を取り付けるための取付ベース３４と、該取付ベース３４の後側に配置された映像表示器３５と、取付ベース３４の上部に映像表示器３５を吊り下げ可能な複数（本実施形態では２つ）の吊下げ機構３６と、取付ベース３４の下部（すなわち映像表示器３５を挟んで吊下げ機構３６とは反対側）に映像表示器３５の下部を係止する複数（本実施形態では４つ）の係止機構３７（図７参照）とを備えて構成されている。
【００１８】
取付ベース３４は、図３〜図５に示すように、横長な棚状のベース上辺部４０と、該ベース上辺部４０の左右両端部から下方へ延設された縦長なベース側辺部４１と、左右のベース側辺部４１の下端部の前縁同士を接続する状態で配置された横長なベース下辺部４２とを備えて矩形状の枠体を形成している。そして、左右両側のベース側辺部４１の内側面から取付ベース３４の中央側へ向けて平板状の鍔部４３を前方へ下り傾斜した状態で延設し、鍔部４３の上端をベース上辺部４０の後寄りに接続するとともに、鍔部４３の下端をベース下辺部４２の側部へ接続し、ベース上辺部４０、左右両側の鍔部４３およびベース下辺部４２に囲まれる状態で大きな矩形状の開口窓部４４を開設している。また、開口窓部４４をセンターケース６よりも後方に配置して、センターケース６の開口部１５に後方から連通するように構成している。さらに、開口窓部４４の下縁部を前方のセンターケース６寄りに配置するとともに、開口窓部４４の上縁部を下縁部よりも後方、具体的には、取付ベース３４（表示装置２４）の後部寄りの位置に配置して、開口窓部４４の全体を前方へ下り傾斜した状態に設定している。
【００１９】
映像表示器３５は、遊技演出映像を表示するユニットであり、開口窓部４４の横幅（すなわち左右両側の鍔部４３の間隔）よりも広く、左右のベース側辺部４１の間隔よりも狭い横幅に設定され、取付ベース３４の内側に前方のセンターケース６側へ下り傾斜した状態で装着されている。また、矩形状の表示ケース４７内に液晶パネル等の表示部４８を収納し、該表示部４８を表示ケース４７の前側部に形成されたケース窓部４９から前方へ臨ませて、当該映像表示器３５の前面に遊技演出映像を表示可能な映像表示面５０を形成している。さらに、表示ケース４７の上部には、横長な突出部５１を上方へ向けて突設し、該突出部５１に後述する吊下げ機構３６の一部を備えている。なお、映像表示器３５の取付ベース３４への取り付け手順については、後で詳細に説明する。
【００２０】
吊下げ機構３６は、図６に示すように、取付ベース３４の上部に配置されて開口窓部４４の上縁部よりも後方に設けられた係合受部５４と、映像表示器３５の上部に配置され、係合受部５４に係合可能な係合部５５とから構成されている。係合受部５４は、開口窓部４４の上方に位置するベース上辺部４０の後部に配置されたフック形状の部材である。そして、ベース上辺部４０の後面から係合受基部５７を後方へ向けて延設し、該係合受基部５７のベース上辺部４０寄りの上面からスペーサ５８を上方へ向けて突設するとともに、係合受基部５７の先端部（後端部）の左右両隅部分から係合爪部５９を上方へ向けて突設し、該係合爪部５９とスペーサ５８との間に係合部５５を上方から遊嵌（係合）するように構成されている。なお、スペーサ５８は、係合爪部５９との間に係合部５５を保持する機能とともに、係合部５５をベース上辺部４０から離して干渉しない状態に維持する機能をも備えている。
【００２１】
また、係合部５５は、表示ケース４７の突出部５１の左右両側部に切欠部６１を前後に貫通する状態で形成し、該切欠部６１の内部に横長な丸棒形状の吊下げ軸６２を配置して構成されている。そして、切欠部６１と吊下げ軸６２との間に区画された空間部を係合受部５４が挿通可能な挿通口６３とし、該挿通口６３を係合受部５４の先端部分が十分に通過可能な程度の大きさに設定している。具体的には、挿通口６３の横幅を係合受基部５７の先端部の横幅よりも広く設定し、挿通口６３の縦幅を係合爪部５９の縦幅よりも広く設定している。
【００２２】
係止機構３７は、図７に示すように、取付ベース３４のベース下辺部４２の後面側から後方へ突設して開口窓部４４の下縁部よりも下方に設けられた係止ボス６５と、映像表示器３５の下部（詳しくは表示ケース４７の下部）から下方へ突設された係止片６６とから構成されている。そして、図７（ｂ）に示すように、係止片６６の前面を後方へ凹ませて嵌合部６７を形成し、該嵌合部６７に係止ボス６５の先端を嵌合可能とし、係止片６６の後面には嵌合部６７に連通する係止孔６８を開設している。
【００２３】
さらに、表示装置２４は、吊下げ機構３６の近傍、具体的には左右両側の吊下げ機構３６の間に、取付ベース３４と映像表示器３５とを止着する止着部７０を備えている。止着部７０は、図４および図７（ａ）に示すように、表示ケース４７の突出部５１のうち左右の係合受部５４の間に形成された止着孔７１と、ベース上辺部４０の後面のうち左右の係合部５５の間に後方へ突設された止着ボス７２とから構成されている。
【００２４】
このような構成を備えた表示装置２４において、取付ベース３４に映像表示器３５を取り付けるには、まず、カバー部材２６を開放状態とし、映像表示面５０を前方へ向けた状態で映像表示器３５を取付ベース３４の後方から近づける。そして、係合部５５の挿通口６３に係合受部５４の先端部（後端部）を挿通し、吊下げ軸６２が係合爪部５９とスペーサ５８との間の上方に到達したならば、この状態で映像表示器３５を下方へ移動し、該係合爪部５９とスペーサ５８との間に係合部５５を遊嵌して、係合受部５４と係合部５５とを係合する。すると、映像表示器３５は、取付ベース３４の後部に吊り下げられた姿勢となる（図５参照）。
【００２５】
係合受部５４と係合部５５とを係合して映像表示器３５を吊り下げたならば、この状態で吊下げ軸６２を回動中心にして映像表示器３５の下部を前方（詳しくは前方のセンターケース６側）へ回動し、映像表示器３５の側部の前縁部分を鍔部４３へ後方から当接するとともに、係止片６６の嵌合部６７に係止ボス６５を嵌合して、映像表示器３５を前方（詳しくは前方のセンターケース６側）へ下り傾斜した姿勢に設定する。すると、取付ベース３４の開口窓部４４に映像表示面５０を前方へ下り傾斜した姿勢で臨ませた状態となる。このとき、映像表示器３５を吊下げ機構３６で吊り下げていたので、映像表示器３５の下部を開口窓部４４側へ片手で押し付けるだけで、映像表示面５０を前方へ下り傾斜した姿勢に設定することができる。したがって、映像表示器３５の組み付け準備を簡単に行うことができ、遊技盤１の製造効率、ひいてはパチンコ遊技機の製造効率の向上を図ることができる。
【００２６】
映像表示器３５を下り傾斜した姿勢に設定したならば、係止片６６の係止孔６８にビス等の止着具（図示せず）を通して係止ボス６５に止着し、さらに、止着部７０の止着孔７１にビス等の止着具(図示せず）を通して止着ボス７２に止着して、映像表示器３５を下り傾斜姿勢で取付ベース３４に装着する。そして、カバー部材２６を前方へ回動して被覆状態に変換し、この状態で止着受部３１にカバー止着部２９を止着してカバー部材２６の被覆状態を維持し、カバー部材２６により球寄せベース２５および表示装置２４の下部（詳しくは係止機構３７）を後方からカバーする。
【００２７】
このようにして装着された映像表示器３５は、取付ベース３４の開口窓部４４およびセンターケース６の開口部１５に映像表示面５０を前方へ下り傾斜した姿勢で臨ませる。したがって、映像表示器３５に大型化した映像表示面５０を備えたとしても、映像表示器３５の設置スペースの縦幅およびセンターケース６の縦幅を映像表示面５０の大きさの割には狭く抑えることができる。この結果、遊技盤１（具体的には、遊技領域５のうちセンターケース６の上方あるいは下方）にセンターケース６以外の構成要素、例えば入賞口８，９，１１等の役物を配置するための領域や遊技球が流下可能な領域を十分に確保することができる。このことから、映像表示器３５により迫力のある遊技演出を行うことができるとともに、流下する遊技球の挙動を十分に見せることができ、遊技の興趣の向上を図ることができる。また、遊技者は、映像表示面５０に表示される映像を上から見下ろすことができ、首に負担を掛けずに楽な姿勢で遊技を行い易い。したがって、遊技の興趣が低減することを抑えることができる。
【００２８】
また、映像表示器３５のうち吊下げ機構３６の近傍を止着部７０により取付ベース３４へ止着したので、吊下げ機構３６を介して取付ベース３４に映像表示器３５を組み付けたとしても、映像表示器３５の上部をガタつくことなく開口窓部４４の上方に配置することができ、取付ベース３４に映像表示器３５を安定して組み付けることができる。
【００２９】
そして、メンテナンス等を行う場合に映像表示器３５を取り外すには、まず、カバー止着部２９の止着状態を解除してカバー部材２６を開放状態に変換し、係止機構３７および球寄せベース２５を後方へ露出する。そして、係止機構３７および止着部７０から止着具を外す。すると、映像表示器３５がその自重により吊下げ軸６２を中心に回動して、映像表示器３５の下端部を後方へ移動して吊下げ状態になる（図５参照）。したがって、止着具を外す際に、落下防止のために映像表示器３５を手で押える必要がなく、取り外し作業の負担を軽減することができる。そして、映像表示器３５を持ち上げて吊下げ機構３６の係合状態を解除し、係合受部５４から係合部５５を外せば、映像表示器３５を簡単に取り外すことができる。
【００３０】
ところで、上記実施形態では、映像表示器３５の下部を係止機構３７により取付ベース３４へ係止して映像表示器３５の傾斜姿勢を維持するように構成したが、本発明はこれに限定されず、カバー部材２６を利用して映像表示器３５の傾斜姿勢を維持するように構成してもよい。例えば、図８および図９に示す第２実施形態では、カバー部材２６と映像表示器３５との間に、映像表示器３５を位置決めする位置決め機構７４を備え、この位置決め機構７４を用いて映像表示器３５の傾斜姿勢を維持するように構成されている。具体的に説明すると、位置決め機構７４は、映像表示器３５の表示ケース４７（言い換えると映像表示器３５の後面）のうち、カバー部材２６の上端部に対向する部分に開設された位置決め孔７５と、カバー部材２６の上端部（詳しくはカバー部材２６の上端部のうち位置決め孔７５に対向する箇所）から前方へ向けて突設された位置決め突起７６とから構成されている。また、位置決め突起７６の先端寄りには、表示ケース４７（映像表示器３５の後面）のうち位置決め孔７５の周辺部に当接可能な当接片７７を上方へ突設し、該当接片７７を映像表示器３５の傾斜姿勢に合わせて前方へ下り傾斜した状態に設定している。
【００３１】
このような構成の位置決め機構７４を備えて、取付ベース３４に映像表示器３５を取り付けるには、カバー部材２６を開放状態とし、映像表示面５０を前方へ向けた状態で映像表示器３５を取付ベース３４の後方から近づけ、係合受部５４と係合部５５とを係合し、映像表示器３５を取付ベース３４の後部に吊り下げる。映像表示器３５を吊り下げたならば、この状態で吊下げ軸６２を回動中心にして映像表示器３５の下部を前方へ回動し、映像表示器３５の側部の前縁部分を鍔部４３へ後方から当接するとともに、係止片６６の嵌合部６７に係止ボス６５を嵌合して、映像表示器３５を前方へ下り傾斜した姿勢に設定し、取付ベース３４の開口窓部４４に映像表示面５０を前方へ下り傾斜した姿勢で臨ませた状態に設定する。映像表示器３５を下り傾斜した姿勢に設定したならば、映像表示器３５を手で押える等してこの傾斜姿勢を維持し、この状態でカバー部材２６を前方へ回動して被覆状態に変換する。すると、カバー部材２６の位置決め突起７６が映像表示器３５の位置決め孔７５に嵌合するとともに、当接片７７が傾斜状態の映像表示器３５に後方から当接して、映像表示器３５が後方へ回動することを阻止する。このようにして位置決め機構７４により映像表示器３５の位置を決めることができる。さらに、位置決めされた映像表示器３５の映像表示面５０を前方へ下り傾斜した姿勢に維持することができる。したがって、カバー部材２６を取り付ける動作により映像表示面５０の姿勢を簡単に維持することができ、遊技盤１の製造効率およびパチンコ遊技機の製造効率をさらに向上させることができる。
【００３２】
なお、映像表示器３５を吊下げ状態にしたまま、カバー部材２６を閉じる方向（前方）に回動すれば、映像表示器３５の後部に位置決め突起７６の先端を押圧し、この押圧力により映像表示器３５を前方へ下り傾斜した姿勢へ変換することができる。さらに、カバー部材２６を回動して被覆状態へ変換すれば、カバー部材２６の位置決め突起７６が映像表示器３５の位置決め孔７５に嵌合するとともに、当接片７７が傾斜状態の映像表示器３５に後方から当接して、位置決め機構７４により映像表示器３５の位置を決めることができる。したがって、映像表示器３５を手で押して傾斜状態に変換する手間を省くことができ、映像表示器３５の装着作業を迅速に行うことができる。
【００３３】
ところで、上記実施形態では、吊下げ機構３６の係合受部５４を取付ベース３４に設け、係合部５５を映像表示器３５に設けたが、本発明はこれに限定されない。要は、取付ベース３４の開口窓部４４の上方に、映像表示器３５の上部を係合して映像表示器３５を吊り下げ可能とする構成を備えれば、どのような吊下げ機構３６を備えてもよく、例えば、取付ベース３４に回動軸を備えた係合部を設け、映像表示器３５に係合部を係合可能な係合受部を設けてもよい。また、吊下げ機構３６の設置数は２つに限定されず、映像表示器３５を十分に吊り下げることができれば、１つでもよいし、３つ以上でもよい。
【００３４】
さらに、上記実施形態では、止着部７０の止着孔７１を取付ベース３４に開設し、止着ボス７２を映像表示器３５に設けたが、本発明はこれに限定されず、映像表示器３５のうち吊下げ機構３６の近傍を取付ベース３４へ止着できれば、どのような構成の止着部を備えてもよい。また、係止機構３７を係止ボス６５と該係止ボス６５を嵌合可能な係止片６６とで構成したが、本発明はこれに限定されず、映像表示器３５の下部を取付ベース３４へ係止できれば、どのような構成の係止機構を備えてもよい。
【００３５】
そして、カバー部材２６は、少なくとも映像表示器３５の下部を覆うことができれば、どのようなサイズであってもよい。例えば、映像表示器３５の全体を後方から覆うことができるものでもよい。
【００３６】
また、上記実施形態では、代表的な遊技機であるパチンコ遊技機を例にして説明したが、本発明はこれに限らず、遊技盤の前面に開口部が開設されたセンターケースを備え、該センターケースの後方に表示装置を配置した遊技機であればどのような遊技機でもよい。例えば、内部に封入した遊技球を循環させる封入球式パチンコ機、アレンジボール式遊技機、雀球式遊技機等の遊技機であってもよい。
【００３７】
なお、前記した実施の形態は全ての点で例示であって制限的なものではないと考えられるべきである。本発明は、上記した説明に限らず特許請求の範囲によって示され、特許請求の範囲と均等の意味及び範囲内での全ての変更が含まれるものである。
【図面の簡単な説明】
【００３８】
【図１】遊技盤の正面図である。
【図２】遊技盤の後方から見た斜視図である。
【図３】遊技盤の断面図である。
【図４】遊技盤の後方から見た分解斜視図である。
【図５】カバー部材を開放状態にした遊技盤の断面図である。
【図６】（ａ）は吊下げ機構の拡大斜視図、（ｂ）は分解斜視図である。
【図７】（ａ）は表示装置の背面図、（ｂ）は係止機構の断面図である。
【図８】（ａ）は第２実施形態の遊技盤の断面図、（ｂ）は位置決め機構の拡大断面図である。
【図９】（ａ）はカバー部材を開放状態にした第２実施形態の遊技盤の斜視図、（ｂ）は位置決め突起の拡大斜視図である。
【符号の説明】
【００３９】
１  遊技盤
６  センターケース
１５  開口部
２４  表示装置
２５  球寄せベース
２６  カバー部材
３４  取付ベース
３５  映像表示器
３６  吊下げ機構
３７  係止機構
４０  ベース上辺部
４１  ベース側辺部
４２  ベース下辺部
４３  鍔部
４４  開口窓部
４７  表示ケース
４８  表示部
４９  ケース窓部
５０  映像表示面
５１  突出部
５４  係合受部
５５  係合部
５７  係合受基部
５８  スペーサ
５９  係合爪部
６１  切欠部
６２  吊下げ軸
６３  挿通口
６５  係止ボス
６６  係止片
７０  止着部
７１  止着孔
７２  止着ボス
７４  位置決め機構
７５  位置決め孔
７６  位置決め突起
７７  当接片
【図１】
0004519100.tif 000002
【図２】
0004519100.tif 000003
【図３】
0004519100.tif 000004
【図４】
0004519100.tif 000005
【図５】
0004519100.tif 000006
【図６】
0004519100.tif 000007
【図７】
0004519100.tif 000008
【図８】
0004519100.tif 000009
【図９】
0004519100.tif 000010